(57)【要約】【課題】機器側の配線を減らすことができるマルチメディアコンセントを提供する。【解決手段】マルチメディアコンセント３は、データ通信信号の伝送用のＬＡＮコンセント４と、音声通信信号の伝送用の電話コンセント５と、映像信号の伝送用のＴＶコンセント６を備える。ＬＡＮコンセント４は、ネットワーク機器からのケーブルに設けたＬＡＮ用のモジュラプラグが着脱自在に接続されるプラグ接続部４２と、プラグ接続部４２に直流電力を重畳させるＤＣ電力重畳部４４を備える。電話コンセント５は、電話機などの通信機器からのケーブルに設けたモジュラプラグが着脱自在に接続されるプラグ接続部５２と、プラグ接続部５２に直流電力を重畳させるＤＣ電力重畳部５４を備える。ＴＶコンセント６は、映像機器からのケーブルに設けた同軸コネクタが接続される同軸コネクタ接続部６２と、同軸コネクタ接続部６２に直流電力を重畳させるＤＣ電力重畳部６４を備える。【選択図】図１
2010080157.tif 000002
【特許請求の範囲】
【請求項１】
映像信号を伝送するためのコンセント部を有する映像用コンセント、データ通信信号を伝送するためのコンセント部を有するデータ通信用コンセント、音声通信信号を伝送するためのコンセント部を有する音声通信用コンセントの内の複数種を備え、複数種のコンセントの内の少なくとも１つは、当該コンセントが備えるコンセント部に、外部の直流電源から得た直流電力を重畳させるＤＣ電力重畳部を備えたことを特徴とするマルチメディアコンセント。
【請求項２】
前記複数種のコンセントとして、前記映像用コンセント及び前記データ通信用コンセントを少なくとも備えたことを特徴とする請求項１記載のマルチメディアコンセント。
【発明の詳細な説明】
【技術分野】
【０００１】
本発明は、マルチメディアコンセントに関するものである。
【背景技術】
【０００２】
従来、テレビ信号を出力するためのテレビターミナルと、電話信号の入出力用の電話モジュラジャックを備えたマルチメディアコンセントが提供されていた（例えば特許文献１参照）。
【特許文献１】特開２００６−２３６９５５号公報
【発明の開示】
【発明が解決しようとする課題】
【０００３】
上述のマルチメディアコンセントに接続されるテレビ受像機や電話機では、テレビターミナルからテレビ信号を受け取ったり、電話モジュラジャックを介して電話信号を授受したりするとともに、テレビターミナルや電話モジュラジャックとは別に設けたＡＣコンセントからそれぞれ電力の供給を受けている。したがって、テレビ受像機や電話機には、それぞれ、情報信号用と電源用の２つのプラグが必要になるから、配線の手間がかかるとともに、配線が邪魔になるという問題があった。
【０００４】
本発明は上記問題点に鑑みて為されたものであり、その目的とするところは、機器側の配線を減らすことができるマルチメディアコンセントを提供することにある。
【課題を解決するための手段】
【０００５】
上記目的を達成するために、請求項１の発明は、映像信号を伝送するためのコンセント部を有する映像用コンセント、データ通信信号を伝送するためのコンセント部を有するデータ通信用コンセント、音声通信信号を伝送するためのコンセント部を有する音声通信用コンセントの内の複数種を備え、複数種のコンセントの内の少なくとも１つは、当該コンセントが備えるコンセント部に、外部の直流電源から得た直流電力を重畳させるＤＣ電力重畳部を備えたことを特徴とする。
【０００６】
請求項２の発明は、請求項１の発明において、複数種のコンセントとして、映像用コンセント及びデータ通信用コンセントを少なくとも備えたことを特徴とする。
【発明の効果】
【０００７】
請求項１の発明によれば、ＤＣ電力重畳部が設けられたコンセントのコンセント部に対応する機器からのケーブルを接続すると、コンセント部に接続された機器に対してＤＣ電力重畳部から重畳された直流電力が供給されるから、情報信号用のケーブルを機器に接続するだけで、情報信号と電源の両方を機器に供給することができる。したがって、機器側の配線数を削減することができ、配線スペースを小さくできるから、配線が邪魔にならないという効果もある。
【０００８】
請求項２の発明によれば、映像用コンセントから映像信号を、データ通信用コンセントからデータ通信信号をそれぞれ出力することができるという効果がある。
【発明を実施するための最良の形態】
【０００９】
本発明に係るマルチメディアコンセントの実施形態を図１及び図２に基づいて説明する。図１はマルチメディアコンセントを用いた配線システムの概略的なシステム構成図であり、この配線システムが施工される住宅には、電力系の配線を分岐配線するための分電盤１と、映像信号やデータ通信信号や音声通信信号などの情報系の配線を分岐配線するための情報用分電盤２が設置されるとともに、宅内の複数箇所には複数種の情報系のコンセントを備えるマルチメディアコンセント３が設置されている。
【００１０】
分電盤１の内部には、商用交流電源ＡＣが一次側に接続される主幹ブレーカ１１と、主幹ブレーカ１１の二次側に接続される複数台の分岐ブレーカ１２ａ，１２ｂと、分岐ブレーカ１２ｂを介して入力された交流電源を直流に変換するＡＣ／ＤＣコンバータ１３と、ＡＣ／ＤＣコンバータ１３の出力と太陽電池１５、二次電池１６及び燃料電池１７からの出力との協調をとって後述のマルチメディアコンセント３に直流電力を供給する協調制御部１４（ＤＣブレーカ）とが収納されている。
【００１１】
また情報用分電盤２の内部には、データ通信に使用されるハブ２１と、音声通信に使用される電話端子台２２と、テレビ信号の伝送に用いられるブースタ２３及び分配器２４が収納されている。
【００１２】
ハブ２１は複数の接続ポートを有し、各マルチメディアコンセント３のＬＡＮコンセント４が宅内に配線されたＬＡＮケーブルＬ２を介して接続されるとともに、ルータ２６にＬＡＮケーブルを介して接続され、ＬＡＮコンセント４に接続されるネットワーク機器（図示せず）及びルータ２６の間で伝送される信号を中継伝送する。尚、ルータ２６はモデム２５を介してインターネットのようなネットワークＮＴに接続されている。
【００１３】
電話端子台２２は、電気通信事業者からの電話回線Ｌ３を、各マルチメディアコンセント３の電話コンセント５に分岐配線するために用いられ、複数個の電話コンセント５が宅内に配線された電話線Ｌ４を介して電話端子台２２にスター配線されている。
【００１４】
またブースタ２３は、例えばＢＳアンテナのようなアンテナ２７から入力されるテレビ信号を増幅するために用いられ、ブースタ２３で増幅された映像信号は分配器２４によって複数に分配され、宅内に配線された同軸ケーブルＬ５を介して各マルチメディアコンセント３のＴＶコンセント６に供給される。尚、ハブ２１、ブースター２３及び分配器２４は、分岐ブレーカ１２ａを介して供給される交流電源から動作電源を得ているが、後述するようにハブ２１や分配器２４はそれぞれＬＡＮコンセント４、ＴＶコンセント５から動作電源を得るようにしてもよい。
【００１５】
一方、マルチメディアコンセント３は、図１（ａ）〜（ｄ）に示すように、データ通信信号用のＬＡＮコンセント４と、アナログの電話信号（音声信号）用の電話コンセント５と、テレビ信号（映像信号）用のＴＶコンセント６と、直流電力の給電用のＤＣコンセント７と、協調制御部１４から宅内に配線された直流電源線Ｌ１を介して供給された直流電力をＬＡＮコンセント４、電話コンセント５及びＴＶコンセント６にそれぞれ重畳させるＤＣ電力重畳部８とを備えている。尚、ＤＣコンセント７では、直流電源線Ｌ１を介して供給された直流電力を負荷機器にそのまま供給するようになっている。
【００１６】
ここで、ＬＡＮコンセント４は、ハブ２１からのＬＡＮケーブルＬ２が接続される接続端子４１と、ＬＡＮを構成するネットワーク機器（図示せず）からのＬＡＮケーブルに設けた８極８芯のモジュラプラグが挿抜自在に接続される８極８芯のモジュラジャックからなるプラグ接続部４２（コンセント部）とを備え、接続端子４１とプラグ接続部４２とは内部の導電路４３を介して電気的に接続されている。
【００１７】
またＬＡＮコンセント４は、ＤＣ電力重畳部８から供給される直流電力を導電路４３に重畳させるＤＣ電力重畳部４４を備え、プラグ接続部４２にプラグが接続されるネットワーク機器に直流電力が供給されるようになっている。尚、導電路４３に重畳された直流電力は、ＬＡＮケーブルＬ２を介してハブ２１にも出力されるので、ハブ２１ではＬＡＮコンセント４から動作電力を得ることができる。
【００１８】
ここで、ＬＡＮケーブルＬ２は４対８芯のツイストペアケーブルで構成されているが、ＩＰ信号の伝送用には２対４芯の電線しか使用されておらず、ＤＣ電力重畳部４４では未使用の４本の電線を用いて直流電力を重畳させている。而して、ＬＡＮコンセント４に接続される機器側では、プラグ接続部４２が備える８極の端子の内、ＩＰ信号の伝送用以外の４極の端子から直流電力の供給を受けることができる。尚、ＤＣ電力重畳部４４では、ＩＰ信号の伝送に用いられる４本の電線に直流電力を重畳させてもよく、この場合、ＬＡＮコンセント４に接続される機器側では、プラグ接続部４２が備える８極の端子の内、ＩＰ信号の伝送に用いる４極の端子から直流電力の供給を受けることができる。
【００１９】
電話コンセント５は、電話用端子台２２からの電話線Ｌ４が接続される接続端子５１と、６極２芯のモジュラジャックからなり、電話機やファクシミリなどの通信機器からのケーブルに設けたモジュラプラグが挿抜自在に接続されて音声通信信号を伝送するためのプラグ接続部５２（コンセント部）とを備え、接続端子５１とプラグ接続部５２とは内部の導電路５３を介して電気的に接続されている。
【００２０】
また電話コンセント５は、ＤＣ電力重畳部８から供給される直流電力を導電路５３に重畳させるＤＣ電力重畳部５４を備え、プラグ接続部５２にプラグが接続される電話機などの通信機器に直流電力が供給されるようになっている。ここで、電話線Ｌ４は例えば複数対のツイストペアケーブルで構成されているが、音声通話信号の伝送用には２芯の電線しか使用されていないので、ＤＣ電力重畳部５４では導電路５３を介して未使用の２芯の電線に直流電力を重畳させている。而して、電話コンセント５に接続される機器側では、プラグ接続部５２が備える６極の端子の内、音声通話信号用以外の２極の端子から直流電力の供給を受けることができる。尚、ＤＣ電力重畳部５４では、音声通話信号の伝送に用いられる２芯の電線に直流電力を重畳させてもよく、この場合、電話コンセント５に接続される機器側では、プラグ接続部５２が備える６極の端子の内、音声通話信号用の２極の端子から直流電力の供給を受けることができる。
【００２１】
ＴＶコンセント６は、分配器２４からの同軸ケーブルＬ５が接続されるケーブル接続部６１と、テレビなどの映像機器からの同軸ケーブルに設けた同軸コネクタ（図示せず）が着脱自在に接続されて、映像機器に映像信号を伝送するための同軸コネクタ接続部６２（コンセント部）とを備え、ケーブル接続部６１と同軸コネクタ接続部６２との間は内部の導電路６３を介して電気的に接続されている。
【００２２】
またＴＶコンセント６は、ＤＣ電力重畳部８から供給される直流電力を導電路６３に重畳させるＤＣ電力重畳部６４を備え、同軸コネクタ接続部６２に同軸コネクタが接続される映像機器に対して直流電力が供給されるようになっている。ここで、導電路６３に重畳された直流電力は、同軸コネクタ接続部６２にプラグが接続される映像機器に供給されるとともに、同軸ケーブルＬ５を介してＴＶコンセント６に接続された分配器２４にも供給されるので、分配器２４の動作電源をＴＶコンセント６から供給することもできる。尚、ＤＣ電力重畳部６４では、同軸コネクタ接続部６２の中心導体と外周導体との間に電位差を与えることによって、同軸コネクタ接続部６２に直流電力を重畳させている。
【００２３】
ＤＣコンセント７は、ＩＥＣ規格（ＣＥＩ／ＩＥＣ  ９０６−３）に準拠したソケット部７ａを前面に有し、同じくＩＥＣ規格（ＣＥＩ／ＩＥＣ  ９０６−３）に準拠したプラグ（図示せず）がソケット部７ａに対して着脱自在に接続されるようになっている。このソケット部７ａには、協調制御部１４から直流電源線Ｌ１を介して供給された直流電源がそのまま供給されており、ソケット部７ａに電源プラグが接続される機器に対して直流電源を供給可能となっている。尚、ＩＥＣ規格（ＣＥＩ／ＩＥＣ  ９０６−３）では、８種類（交流及び直流の６Ｖ，１２Ｖ，２４Ｖ，４８Ｖ）の安全特別低電圧（ＳＥＬＶ：Safety Extra Low Voltage）電源に対してコネクタの形状、寸法および極配置が規定されている。
【００２４】
また図２はマルチメディアコンセント３の施工状態を示す正面図であり、大角形連用配線器具の３連の取付枠（図示せず）を用いて造営面に設けた埋込用穴に埋込配設され、取付枠の前側に取着されるプレート７０の開口窓７１から各コンセント４〜７の前面が露出している。ここで、図示するマルチメディアコンセント３では、前面の右側に、データ通信用のＬＡＮコンセント４と音声通信用の電話コンセント５が上下に配設されるとともに、前面の略中央にテレビ信号用のＴＶコンセント６が配設され、さらに前面の左側には直流電力を供給するためのＤＣコンセント７が上下に３個並べて配設されている。
【００２５】
このように本実施形態のマルチメディアコンセント３では、データ通信信号を伝送するためのコンセント部（プラグ接続部４２）を有するＬＡＮコンセント４（データ通信用コンセント）と、音声通信信号を伝送するためのコンセント部（プラグ接続部５２）を有する電話コンセント５（音声通信用コンセント）と、映像信号を伝送するためのコンセント部（同軸コネクタ接続部６２）を有するＴＶコンセント６（映像用コンセント）の内の複数種（本実施形態では３種類全て）を備え、複数種のコンセント４〜６にそれぞれＤＣ電力重畳部４４，５４，６４を設けているので、各コンセント４〜６のコンセント部に、対応する機器からのケーブルを接続すると、コンセント部にＤＣ電力重畳部４４，５４，６４から重畳された直流電力が、当該コンセント部に接続された機器に供給されるから、情報信号用のケーブルを機器に接続するだけで、情報信号と電源の両方を機器に供給できる。したがって、機器側の配線数を削減することができ、配線スペースが小さくて済むから、配線が邪魔になることがないという効果がある。
【００２６】
尚、本実施形態のマルチメディアコンセント３では映像用コンセントとデータ通信用コンセントと音声通信用コンセントを３種類とも備えているが、３種類のうち複数種類を備えていればよく、また複数種のコンセントのうちの少なくとも１つにＤＣ電力重畳部を設けていればよい。なお複数種のコンセントとしては、映像用コンセント及びデータ通信用コンセントを少なくとも備えているのが好ましく、映像用コンセントから映像信号を、データ通信用コンセントからデータ通信信号をそれぞれ出力することができる。
【００２７】
また本システムでは、ＤＣ電力重畳部８に直流電源を供給する電源として、商用交流電源ＡＣから供給される交流電力を直流電力に変換するＡＣ−ＤＣコンバータ１３（ＡＣ／ＤＣ変換部）と、商用交流電源ＡＣの停電時に直流電力を供給する太陽電池１５、二次電池１６、燃料電池１７などからなるバックアップ電源とを備えており、停電時にはこれらのバックアップ電源（太陽電池１５、二次電池１６、燃料電池１７など）からＤＣ電力重畳部８に直流電力が供給されるので、停電中もマルチメディアコンセント３の各コンセント４〜７から直流電力を供給して、このマルチメディアコンセント３に接続される機器を動作させることができる。
【図面の簡単な説明】
【００２８】
【図１】本実施形態を示し、（ａ）はマルチメディアコンセントを用いた配線システムのシステム構成図、（ｂ）はＬＡＮコンセントのブロック図、（ｃ）は電話コンセントのブロック図、（ｄ）はＴＶコンセントのブロック図である。
【図２】同上のマルチメディアコンセントの施工状態を示す正面図である。
【符号の説明】
【００２９】
１  分電盤
２  情報分電盤
３  マルチメディアコンセント
４  ＬＡＮコンセント（データ通信用コンセント）
５  電話コンセント（音声通信用コンセント）
６  ＴＶコンセント（映像用コンセント）
４２  プラグ接続部（コンセント部）
４４  ＤＣ電力重畳部
５２  プラグ接続部（コンセント部）
５４  ＤＣ電力重畳部
６２  同軸コネクタ接続部（コンセント部）
６４  ＤＣ電力重畳部
Ｌ１  直流電源線
Ｌ２  ＬＡＮケーブル
Ｌ３  電話回線
Ｌ４  電話線
Ｌ５  同軸ケーブル
【図１】
2010080157.tif 000003
【図２】
2010080157.tif 000004